(57)【要約】【課題】  靴紐を緩めやすい靴紐緩め具および該緩め具を備えた紐靴を提供する。【解決手段】  靴紐緩め具７は、舌片部５と、舌片部５の両側に位置する左右の甲被部３，４と、左右の甲被部３，４を接続する靴紐６とを有する紐靴１に取付けられる靴紐緩め具である。靴紐緩め具７が矢印Ａの方向に引き上げられることで、靴紐６が緩められる。そして、靴紐緩め具７は、靴紐６が通される孔部を有する。該孔部は、紐靴１の幅方向中心の両側に配置されている。【選択図】        図２
2006314530.tif 000002
【特許請求の範囲】
【請求項１】
舌片部と、該舌片部の両側に位置する左右の甲被部と、該左右の甲被部を接続する靴紐とを有する紐靴に取付けられる靴紐緩め具であって、
把持部と、
前記把持部が引き上げられることに伴なって前記靴紐を引き上げて緩める引き上げ部とを備え、
前記靴紐を締めた状態で、前記引き上げ部が前記紐靴の幅方向中心の両側に配置されている、靴紐緩め具。
【請求項２】
前記引き上げ部は、前記靴紐が通される孔部を有する、請求項１に記載の靴紐緩め具。
【請求項３】
前記引き上げ部は、前記左右の甲被部上に位置するように形成される、請求項１または請求項２に記載の靴紐緩め具。
【請求項４】
前記引き上げ部は、前記靴紐が通される鳩目孔に合わせた位置に形成される、請求項１から請求項３のいずれかに記載の靴紐緩め具。
【請求項５】
前記孔部は、前記紐靴の幅方向に沿って延びるように形成される、請求項２から請求項４のいずれかに記載の靴紐緩め具。
【請求項６】
前記紐靴の上面に沿うような湾曲形状を有する、請求項１から請求項５のいずれかに記載の靴紐緩め具。
【請求項７】
前記把持部は、手の指を通すことが可能なループ部を有する、請求項１から請求項６のいずれかに記載の靴紐緩め具。
【請求項８】
請求項１から請求項７のいずれかに記載の靴紐緩め具を備えた、紐靴。
【発明の詳細な説明】
【技術分野】
【０００１】
本発明は、靴紐緩め具および紐靴に関し、特に、靴紐を緩める際に用いる靴紐緩め具および該緩め具を備えた紐靴に関する。
【背景技術】
【０００２】
靴紐を緩めるための靴紐緩め具が従来から知られている。
たとえば、特開２００３−３３２０５号公報（特許文献１）においては、舌片部に連結される固定端と、舌片部上を左右に横切る靴紐の下を通り抜ける自由端とを有する連結部材を備えた紐靴が開示されている。
【０００３】
また、特開２００４−２１５９３６号公報（特許文献２）においては、靴紐を挿通する穴を２つ形成した本体と、本体に接続されてループ部を形成した帯体とを備えた靴紐緩め具が開示されている。
【特許文献１】特開２００３−３３２０５号公報
【特許文献２】特開２００４−２１５９３６号公報
【発明の開示】
【発明が解決しようとする課題】
【０００４】
しかしながら、特許文献１，２に記載されるような靴紐緩め具においては、緩め具の引き上げ方向と、該緩め具を引き上げたときに靴紐が動く方向とが比較的大きな角度で交差する。この角度を小さくすることで、緩め具を引き上げる力を、より効率よく、靴紐を引き上げる力として伝えることができると考えられる。
【０００５】
本発明は、上記のような問題に鑑みてなされたものであり、本発明の目的は、靴紐を緩めやすい靴紐緩め具および該緩め具を備えた紐靴を提供することにある。
【課題を解決するための手段】
【０００６】
本発明に係る靴紐緩め具は、舌片部と、該舌片部の両側に位置する左右の甲被部と、該左右の甲被部を接続する靴紐とを有する紐靴に取付けられる靴紐緩め具であって、把持部と、把持部が引き上げられることに伴なって靴紐を引き上げて緩める引き上げ部とを備え、靴紐を締めた状態で、引き上げ部が紐靴の幅方向中心の両側に配置されている。
【０００７】
上記構成によれば、把持部を引き上げる方向と、引き上げ部によって引き上げられた靴紐が動く方向とのなす角度が比較的小さくなる。この結果、把持部を引き上げる力を効率よく靴紐を緩める力として伝えることができるので、靴紐を緩めやすくすることができる。
【０００８】
上記靴紐緩め具において、好ましくは、引き上げ部は、靴紐が通される孔部を有する。これにより、簡単な構造で確実に靴紐を引き上げることができる。
【０００９】
上記靴紐緩め具において、好ましくは、引き上げ部は、左右の甲被部上に位置するように形成される。これにより、靴紐緩め具を付けた状態で紐靴を装着しても、装着者が違和感を感じることが抑制される。
【００１０】
上記靴紐緩め具において、好ましくは、引き上げ部は、靴紐が通される鳩目孔に合わせた位置に形成される。これにより、把持部を引き上げる方向と、引き上げ部によって引き上げられた靴紐が動く方向とのなす角度をより小さくすることができる。この結果、靴紐がさらに緩めやすくなる。
【００１１】
上記靴紐緩め具において、好ましくは、孔部は、紐靴の幅方向に沿って延びるように形成される。
【００１２】
上記構成によれば、靴紐を締める際に、靴紐緩め具が靴紐の動きを阻害することが抑制される。そして、靴紐を緩める際は、孔部の縁端によって靴紐を引き上げることができる。すなわち、靴紐が締めやすく、かつ、緩めやすくなる。
【００１３】
上記靴紐緩め具は、好ましくは、紐靴の上面に沿うような湾曲形状を有する。これにより、靴紐緩め具を付けた状態で紐靴を装着しても、装着者が違和感を感じることが抑制される。
【００１４】
上記靴紐緩め具において、好ましくは、把持部は、手の指を通すことが可能なループ部を有する。これにより、靴紐を緩める際に、把持部が引き上げやすくなる。
【００１５】
本発明に係る紐靴は、上述した靴紐緩め具を備える。これにより、靴紐を緩めやすい紐靴が提供される。
【発明の効果】
【００１６】
本発明によれば、靴紐を緩めやすい靴紐緩め具が提供される。
【発明を実施するための最良の形態】
【００１７】
以下に、本発明に基づく靴紐緩め具および紐靴の実施の形態について説明する。
本実施の形態に係る靴紐緩め具は、紐靴に取付けられるものである。靴紐緩め具は、典型的には紐靴と別体で形成されるが、１つの変形例として、たとえば、紐靴の舌片部などと一体に形成されていてもよい。
【００１８】
紐靴は、舌片部と、該舌片部の両側に位置する左右の甲被部と、該左右の甲被部を接続する靴紐とを有する。靴紐緩め具は、把持部と、把持部が引き上げられることに伴なって靴紐を引き上げて緩める引き上げ部とを有する。ここで、把持部と引き上げ部とは、典型的には一体で形成されるが、これらを別体で形成した後に組合わせることも可能である。把持部と引き上げ部とを組合わせる方法としては、たとえば、嵌合、縫着、接着などが考えられる。把持部および引き上げ部は、たとえば樹脂で形成されてもよいし、金属で形成されていてもよいし、樹脂と金属との組合わせで形成されてもよい。
【００１９】
本実施の形態に係る靴紐緩め具の１つの特徴として、靴紐を締めた状態で、引き上げ部が紐靴の幅方向中心の両側に配置されていることが挙げられる。これにより、把持部を引き上げる方向と、引き上げ部によって引き上げられる靴紐が動く方向とのなす角度が比較的小さくなる。この結果、把持部を引き上げる力を靴紐を緩める力として効率よく伝えることができるので、靴紐を緩めやすくすることができる。
【００２０】
引き上げ部は、典型的には、靴紐が通される孔部により構成されるが、靴紐を係止する係止部によって引き上げ部が構成されてもよいし、孔部と係止部とを組合わせて用いてもよい。
【００２１】
引き上げ部は、典型的には、左右の甲被部上にそれぞれ１箇所ずつ形成される。これにより、靴紐緩め具を付けた状態で紐靴を装着しても、装着者が違和感を感じることが抑制される。
【００２２】
引き上げ部は、典型的には、靴紐が通される鳩目孔に合わせた位置に形成される。これにより、把持部を引き上げる方向と、引き上げ部によって引き上げられた靴紐が動く方向とのなす角度をより小さくすることができる。
【００２３】
ただし、引き上げ部の形成位置は必ずしも上記に限定されず、舌片部上に設けられる場合もある。また、引き上げ部の形成箇所数は２箇所に限定されず、たとえば、左右の甲被部上にそれぞれ２箇所ずつ、合計４箇所に形成されてもよい。
【００２４】
靴紐緩め具は、紐靴の幅方向中心に関して左右対称な形状を有する。典型的には、紐靴の幅方向中心に把持部が位置し、その幅方向中心に関して左右対称な位置に引き上げ部が位置する。
【００２５】
ただし、靴紐緩め具の形状は必ずしも上記に限定されず、紐靴の幅方向中心に関して左右非対称な形状を有する場合もある。また、左右の引き上げ部が、紐靴の幅方向中心に関して左右非対称な位置に配置される場合もある。
【００２６】
引き上げ部が孔部により構成される場合、該孔部は、１つの例として、紐靴の幅方向に沿って延びるように形成されてもよい。この場合、靴紐を締める際に靴紐緩め具が靴紐の動きを阻害することが抑制される。一方で、靴紐を緩める際は、孔部の縁端によって靴紐を引き上げることができる。
【００２７】
靴紐緩め具は、典型的には、紐靴の上面に沿うような湾曲形状を有する。これにより、靴紐緩め具を付けた状態で紐靴を装着しても、装着者が違和感を感じることが抑制される。ただし、靴紐緩め具の形状は必ずしも湾曲形状に限定されず、たとえば平面形状であってもよい。
【００２８】
靴紐を緩める際に引き上げられる把持部は、典型的には、手の指を通すことが可能なループ部を有する。これにより、靴紐を緩める際に、把持部が引き上げやすくなる。ただし、必ずしも把持部がループ部を有している必要はなく、棒状の把持部やＴ型の把持部が形成されてもよい。また、把持部を引き上げやすくするために、該把持部の表面に凹凸部を設けたり、該表面を粗くしたりして、滑り止めの機能を持たせることも有効である。
【００２９】
以下、本発明に係る靴紐緩め具および紐靴の実施例１〜７について、図１〜図３０を用いて説明する。なお、同一または相当する部分に同一の参照符号を付し、その説明を繰返さない場合がある。
【実施例１】
【００３０】
図１は、実施例１に係る靴紐緩め具を紐靴に取付けた状態を示す図である。そして、図２は、図１に示される靴紐緩め具によって靴紐を緩める様子を示した図である。
【００３１】
図１を参照して、紐靴１は、履口部２と、履口部２の前方に位置する左甲被部３および右甲被部４と、左右の甲被部３，４の間に位置する舌片部５と、主として舌片部５上を通過し、左右の甲被部３，４に形成された鳩目孔に通されることによって該左右の甲被部３，４を接続する靴紐６とを有する。
【００３２】
本実施例に係る靴紐緩め具７は、紐靴１に取付けられる。靴紐緩め具に形成された孔部（詳細は後述する。）に靴紐６を通してから靴紐６を締めて結ぶことで、靴紐緩め具７が紐靴１に取付けられる。紐靴１の装着者は、靴紐緩め具７を取付けたままで、歩行や運動を行なうことが可能である。
【００３３】
図２を参照して、靴紐６を緩める際は、靴紐６の結びを解いた後、靴紐緩め具７を上方向（矢印Ａ方向）に引き上げる。これにより、靴紐６が緩められ、履口部２が開く。この結果、靴が脱ぎやすくなる。なお、靴紐６を緩めるのは必ずしも靴を脱ぐ時だけに限定されず、たとえば、休憩の際に靴紐６の締結力を和らげてリラックスしたい時にも靴紐６を緩める場合がある。その際、靴紐６の先端が踏まれることを抑制するために、靴紐６の先端を靴紐緩め具７に引っ掛けておくことができる。
【００３４】
図３は、靴紐緩め具７の正面図である。そして、図４，図５は、それぞれ、靴紐緩め具７を矢印ＤＲ１方向，矢印ＤＲ２方向からみた状態を示す図である。
【００３５】
図３〜図５を参照して、靴紐緩め具７は、把持部７１と、引き上げ部７２とを有する。把持部７１と引き上げ部７２とは、１つの樹脂部材により一体に形成されている。また、靴紐緩め具７は、紐靴の幅方向中心に関して左右対称な形状を有している。そして、靴紐緩め具７は、紐靴１の上面に沿うような湾曲形状を有している。
【００３６】
把持部７１は、靴紐を緩める際に把持されて引き上げられる部分である。そして、把持部７１は、手の指を通すことが可能なループ部７１０を有する。
【００３７】
引き上げ部７２は、把持部７１が引き上げられることに伴なって靴紐を引き上げる部分である。そして、引き上げ部７２は、孔部７２１，７２２を有する。孔部７２１，７２２には、それぞれ、補強のための金属部材７２０が取付けられている。孔部７２１，７２２に靴紐が通される。
【００３８】
孔部７２１は、左甲被部３上における履口部２側から二番目の鳩目孔に対応する位置に設けられる。そして、孔部７２２は、右甲被部４上における履口部２側から二番目の鳩目孔に対応する位置に設けられる。
【００３９】
次に、本実施例の効果について説明する。図２５，図２６は、本実施例に係る靴紐緩め具７の引き上げ時の力の作用を説明する図である。また、図２７，図２８は、参考例１に係る靴紐緩め具の引き上げ時の力の作用を説明する図である。そして、図２９は、参考例２に係る靴紐緩め具の側面図であり、図３０は、参考例２に係る靴紐緩め具の引き上げ時の力の作用を説明する図である。
【００４０】
図２７を参照して、参考例１に係る紐靴緩め具７Ａは、矢印ＡＡ方向に引き上げられる。これにより、図２８に示すように、靴紐６Ａは、矢印ＡＡ１方向，矢印ＡＡ２方向に動いて緩められる。この場合、矢印ＡＡ１方向，矢印ＡＡ２方向に動く靴紐が互いに擦れ合うことによる摩擦抵抗が生じる。また、靴紐緩め具７Ａが引き上げられる方向（矢印ＡＡ方向）と、靴紐６Ａが動く方向（矢印ＡＡ１方向，矢印ＡＡ２方向）とのなす角度が比較的大きい。したがって、靴紐緩め具７Ａを引き上げる力を靴紐６Ａを緩める力として伝える際のロスが比較的大きい。
【００４１】
図２９を参照して、参考例２に係る靴紐緩め具７Ｂは、把持部７１Ｂと引き上げ部７２Ｂとを有している。また、引き上げ部７２Ｂには、靴紐６Ｂが通される２つの孔部７２１Ｂ，７２２Ｂが形成されている。図３０を参照して、靴紐緩め具７Ｂは、矢印ＡＢ方向に引き上げられる。これにより、靴紐６Ｂは、矢印ＡＢ１方向，矢印ＡＢ２方向に動いて緩められる。本参考例においても、靴紐緩め具７Ｂが引き上げられる方向（矢印ＡＢ方向）と、靴紐６Ｂが動く方向（矢印ＡＢ１方向，矢印ＡＢ２方向）とのなす角度が比較的大きい。したがって、靴紐緩め具７Ｂを引き上げる力を靴紐６Ｂを緩める力として伝える際のロスが比較的大きい。
【００４２】
これに対し、本実施例に係る靴紐緩め具７では、図２５に示すように、靴紐６が通される孔部が紐靴の幅方向に並ぶように２つ形成されている。ここで、靴紐緩め具７は、矢印Ａ方向に引き上げられる。これにより、図２６に示すように、靴紐６は、矢印Ａ１方向，矢印Ａ２方向に動いて緩められる。靴紐緩め具７においては、靴紐緩め具７が引き上げられる方向（矢印Ａ方向）と、靴紐６が動く方向（矢印Ａ１方向，矢印Ａ２方向）とのなす角度が比較的小さい。したがって、靴紐緩め具７を引き上げる力を靴紐６を緩める力として効率よく伝えることができる。結果として、靴紐６が緩めやすくなる。
【実施例２】
【００４３】
図６は、実施例２に係る靴紐緩め具の正面図である。そして、図７，図８は、それぞれ、図６に示される靴紐緩め具７を矢印ＤＲ１方向，裏面方向からみた状態を示す図である。
【００４４】
本実施例に係る靴紐緩め具７は、実施例１に係る靴紐緩め具の変形例であって、裏面に設けられた突起部に引き上げ部７２を設けた点を特徴とする。
【００４５】
図６〜図８を参照して、靴紐緩め具７の裏面に突起が形成される。該突起に貫通孔である孔部７２１，７２２が形成される。孔部７２１には矢印Ｂの方向に靴紐が通される。孔部７２２には矢印Ｃの方向に靴紐が通される。
【００４６】
本実施例に係る靴紐緩め具によっても、実施例１と同様の効果を奏する。
【実施例３】
【００４７】
図９は、実施例３に係る靴紐緩め具７の正面図である。
本実施例に係る靴紐緩め具は、実施例１に係る靴紐緩め具の変形例であって、孔部に代えて係止部によって引き上げ部７２を形成した点を特徴とする。
【００４８】
図９を参照して、本実施例においては、紐靴の幅方向に並ぶように、フック状の係止部７２３，７２４が形成されている。係止部７２３，７２４により、靴紐を引き上げる引き上げ部７２が構成される。
【００４９】
本実施例に係る靴紐緩め具によっても、実施例１と同様の効果を奏する。
【実施例４】
【００５０】
図１０は、実施例４に係る靴紐緩め具７の正面図である。
本実施例に係る靴紐緩め具は、実施例１に係る靴紐緩め具の変形例であって、引き上げ部７２を形成する孔部を長孔とした点を特徴とする。
【００５１】
図１０を参照して、把持部７１の下部に、紐靴の幅方向に沿って延びるように孔部７２５が形成されている。そして、孔部７２５の両端に引き上げ部７２が形成される。靴紐を締める際は、孔部７２５を通る靴紐は矢印Ｄ方向に動く。一方で、靴紐を緩める際は、孔部７２５を通る靴紐は矢印Ｅ方向に動く。そして、靴紐は、引き上げ部７２によって引き上げられる。
【００５２】
本実施例に係る靴紐緩め具によっても、実施例１と同様の効果を奏する。また、靴紐を緩める際に靴紐緩め具が靴紐の動きを阻害することを抑制することができる。
【実施例５】
【００５３】
図１１，図１２は、実施例５に係る靴紐緩め具７の正面図である。なお、図１２は、図１１に示される靴紐緩め具の変形例を示す。
【００５４】
本実施例に係る靴紐緩め具は、実施例１に係る靴紐緩め具の変形例であって、該緩め具の形状に特徴を有する。
【００５５】
図１１，図１２を参照して、本実施例に係る靴紐緩め具７においては、ループ部７１０を有する把持部７１と、孔部７２１，７２２を有する引き上げ部７２との間にくびれが形成されている。
【００５６】
本実施例に係る靴紐緩め具によっても、実施例１と同様の効果を奏する。
【実施例６】
【００５７】
図１３は、実施例６に係る靴紐緩め具７の正面図である。
本実施例に係る靴紐緩め具は、実施例１に係る靴紐緩め具の変形例であって、把持部７１と引き上げ部７２とを別部材で形成した点を特徴とする。
【００５８】
図１３を参照して、本実施例に係る靴紐緩め具７においては、ループ部７１０を形成するリング状の把持部材７１１によって把持部７１が構成され、孔部７２１，７２２を有する引き上げ部材７２６によって引き上げ部７２が構成される。そして、把持部材７１１は、引き上げ部材７２６を貫通することによって引き上げ部材７２６と連結されている。これにより、把持部７１と引き上げ部７２とが組み合わされる。
【００５９】
図１４は、図１３に示される引き上げ部材７２６を示した図である。そして、図１５，図１６は、それぞれ、図１４に示される引き上げ部材７２６を矢印ＤＲ１方向，矢印ＤＲ２方向からみた状態を示す図である。図１４〜図１６を参照して、引き上げ部材７２６は、紐靴の幅方向中心に関して左右対称な形状を有している。そして、引き上げ部材７２６は、紐靴１の上面に沿うような湾曲形状を有している。
【００６０】
図１７，図１８は、本実施例に係る靴紐緩め具の変形例を示す図である。なお、図１８は、図１７に示される靴紐緩め具７の斜視図である。
【００６１】
図１７，図１８を参照して、本変形例に係る靴紐緩め具７においては、把持部材７１１と紐状部材７１２とによって把持部７１が構成され、孔部７２１，７２２を有する引き上げ部材７２６によって引き上げ部７２が構成される。そして、紐状部材７１２が引き上げ部材７２６に通され、その両端が把持部材７１１に連結されることで、把持部７１にループ部７１０が形成されるとともに、把持部７１と引き上げ部７２とが組み合わされる。
【００６２】
本実施例に係る靴紐緩め具７のさらなる変形例として、たとえば、図１９〜図２１に示すような形態が考えられる。図１９においては、把持部材７１１と引き上げ部材７２６とが嵌め合わされることで、把持部７１にループ部７１０が形成されるとともに、把持部７１と引き上げ部７２とが組み合わされている。ここでは、靴紐緩め具を引き上げる際、把持部材７１１を摘んで引き上げてもよいし、ループ部７１０に指を掛けて引き上げてもよい。
【００６３】
図２０，図２１においては、把持部材７１１と引き上げ部材７２６とが縫着されることで把持部７１と引き上げ部７２とが組み合わされている。いずれの場合も、把持部７１にはループ部７１０が形成されている。
【００６４】
本実施例に係る靴紐緩め具によっても、実施例１と同様の効果を奏する。
【実施例７】
【００６５】
図２２〜図２４は、実施例７に係る靴紐緩め具を示す斜視図である。なお、図２３および図２４は、図２２に示される靴紐緩め具の変形例を示す。
【００６６】
本実施例に係る靴紐緩め具は、実施例１に係る靴紐緩め具の変形例であって、把持部７１にループ部を形成しない点を特徴とする。
【００６７】
把持部７１は、図２２に示すように楕円状に形成されてもよいし、図２３に示すように棒状に形成されてもよい。この場合、把持部７１を摘んで引き上げることで、靴紐を緩めることが可能である。なお、図２２，図２３に示す例では、把持部７１上に凹凸が形成されている。これにより、把持部７１が摘みやすくなる。また、把持部７１は、図２４に示すようにＴ字状に形成されてもよい。この場合、把持部７１におけるＴ字状に形成された部分に指を引っ掛けて引き上げることで、靴紐を緩めることが可能である。
【００６８】
本実施例に係る靴紐緩め具によっても、実施例１と同様の効果を奏する。
以上、本発明の実施の形態および実施例について説明したが、上述した各実施の形態および実施例の特徴部分を適宜組合わせることは、当初から予定されている。また、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００６９】
【図１】本発明の実施例１に係る靴紐緩め具を紐靴に取付けた状態を示す図（その１）である。
【図２】本発明の実施例１に係る靴紐緩め具を紐靴に取付けた状態を示す図（その２）である。
【図３】本発明の実施例１に係る靴紐緩め具を示す図である。
【図４】図３に示される靴紐緩め具を矢印ＤＲ１方向からみた状態を示す図である。
【図５】図３に示される靴紐緩め具を矢印ＤＲ２方向からみた状態を示す図である。
【図６】本発明の実施例２に係る靴紐緩め具を示す図である。
【図７】図６に示される靴紐緩め具を矢印ＤＲ１方向からみた状態を示す図である。
【図８】図６に示される靴紐緩め具を裏面からみた状態を示す図である。
【図９】本発明の実施例３に係る靴紐緩め具を示す図である。
【図１０】本発明の実施例４に係る靴紐緩め具を示す図である。
【図１１】本発明の実施例５に係る靴紐緩め具を示す図である。
【図１２】本発明の実施例５に係る靴紐緩め具の変形例を示す図である。
【図１３】本発明の実施例６に係る靴紐緩め具を示す図である。
【図１４】図１３に示される靴紐緩め具における引き上げ部材を示す図である。
【図１５】図１４に示される引き上げ部材を矢印ＤＲ１方向からみた状態を示す図である。
【図１６】図１４に示される引き上げ部材を矢印ＤＲ２方向からみた状態を示す図である。
【図１７】本発明の実施例６に係る靴紐緩め具の変形例を示す図である。
【図１８】図１７に示される靴紐緩め具の斜視図である。
【図１９】本発明の実施例６に係る靴紐緩め具の他の変形例を示す図である。
【図２０】本発明の実施例６に係る靴紐緩め具のさらに他の変形例を示す図である。
【図２１】本発明の実施例６に係る靴紐緩め具のさらに他の変形例を示す図である。
【図２２】本発明の実施例７に係る靴紐緩め具を示す図である。
【図２３】本発明の実施例７に係る靴紐緩め具の変形例を示す図である。
【図２４】本発明の実施例７に係る靴紐緩め具の他の変形例を示す図である。
【図２５】本発明の実施例１に係る靴紐緩め具の引き上げ時の力の作用を説明する図（その１）である。
【図２６】本発明の実施例１に係る靴紐緩め具の引き上げ時の力の作用を説明する図（その２）である。
【図２７】参考例１に係る靴紐緩め具の引き上げ時の力の作用を説明する図（その１）である。
【図２８】参考例１に係る靴紐緩め具の引き上げ時の力の作用を説明する図（その２）である。
【図２９】参考例２に係る靴紐緩め具の側面図である。
【図３０】参考例２に係る靴紐緩め具の引き上げ時の力の作用を説明する図である。
【符号の説明】
【００７０】
１  紐靴、２  履口部、３  左甲被部、４  右甲被部、５  舌片部、６，６Ａ，６Ｂ  靴紐、７，７Ａ，７Ｂ  靴紐緩め具、７１  把持部、７２，７２Ｂ  引き上げ部、７１０  ループ部、７１１  把持部材、７１２  紐状部材、７２０  金属部材、７２１，７２１Ｂ，７２２，７２２Ｂ  孔部、７２３，７２４  係止部、７２５  孔部、７２６  引き上げ部材。
【図１】
2006314530.tif 000003
【図２】
2006314530.tif 000004
【図３】
2006314530.tif 000005
【図４】
2006314530.tif 000006
【図５】
2006314530.tif 000007
【図６】
2006314530.tif 000008
【図７】
2006314530.tif 000009
【図８】
2006314530.tif 000010
【図９】
2006314530.tif 000011
【図１０】
2006314530.tif 000012
【図１１】
2006314530.tif 000013
【図１２】
2006314530.tif 000014
【図１３】
2006314530.tif 000015
【図１４】
2006314530.tif 000016
【図１５】
2006314530.tif 000017
【図１６】
2006314530.tif 000018
【図１７】
2006314530.tif 000019
【図１８】
2006314530.tif 000020
【図１９】
2006314530.tif 000021
【図２０】
2006314530.tif 000022
【図２１】
2006314530.tif 000023
【図２２】
2006314530.tif 000024
【図２３】
2006314530.tif 000025
【図２４】
2006314530.tif 000026
【図２５】
2006314530.tif 000027
【図２６】
2006314530.tif 000028
【図２７】
2006314530.tif 000029
【図２８】
2006314530.tif 000030
【図２９】
2006314530.tif 000031
【図３０】
2006314530.tif 000032